(57)【特許請求の範囲】
【請求項１】
在庫管理（ｓｔｏｃｋ  ｍａｎａｇｅｍｅｎｔ）のための電子装置の動作方法であって、
物品（ｉｔｅｍ）の流通期限関連情報を基礎として前記物品を除去対象と認識する段階と、
前記除去対象に関する情報を端末（ｔｅｒｍｉｎａｌ）に伝送する段階と、
前記端末が前記除去対象に関する情報を作業者に提供し、前記作業者により前記端末にＧＵＩ（Ｇｒａｐｈｉｃａｌ  Ｕｓｅｒ  Ｉｎｔｅｒｆａｃｅ）を介して、実物数量の除去数量に関する情報および残存数量に関する情報が入力されたことに基づいて、前記端末から、前記物品の実物数量のうち在庫から除去される除去数量に関する情報、および前記物品の実物数量のうち前記除去数量以外の残存数量に関する情報を獲得する段階と、
前記除去数量に関する情報および前記残存数量に関する情報に基づいて前記在庫に関する情報をアップデートする段階と、を含み、
前記アップデートする段階は、
電算数量が前記実物数量と一致しない場合、前記実物数量を基準として前記電算数量を調整する段階を含み、
前記電算数量が前記実物数量より第１数量だけ多い場合、前記電算数量のうち前記第１数量を、前記在庫とは異なる所定のロケーションの在庫に割り当て、
前記電算数量が前記実物数量より第２数量だけ少ない場合、前記所定のロケーションの在庫に割り当てられた全部または一部の数量である第３数量を前記除去対象の電算数量に割り当てる段階を含む、
動作方法。
【請求項２】
前記獲得する段階は、
前記端末から前記残存数量に対する流通期限関連情報を獲得する段階を含み、
前記アップデートする段階は、
前記残存数量に対する流通期限関連情報に基づいて前記在庫に関する情報をアップデートする段階を含む、請求項１に記載の動作方法。
【請求項３】
前記端末は、
前記作業者から前記ＧＵＩを介して前記残存数量に対する流通期限関連情報を入力され、
前記残存数量に対する流通期限関連情報は、
流通期限に基づいて前記除去対象を認識する場合、前記残存数量の物品の流通期限の日付のうち最も早い流通期限の日付を含み、
製造日付に基づいて前記除去対象を認識する場合、前記残存数量の物品の製造日付のうち最も早い製造日付を含む、請求項１に記載の動作方法。
【請求項４】
前記アップデートする段階は、
前記第２数量より前記第３数量が少ない場合、前記第２数量と前記第３数量の差異だけ前記除去対象の電算数量に追加で割り当てる段階を含む、請求項１に記載の動作方法。
【請求項５】
前記認識する段階は、
前記物品の管理類型が変更される場合、前記物品の流通期限関連情報が変更される場合、前記物品の配置位置が変更される場合、および前記物品に対する出庫または在庫移動の割当が解除される場合のうち少なくとも１つの場合に、前記在庫内の物品それぞれが除去対象であるか否かを判断する段階を含む、請求項１に記載の動作方法。
【請求項６】
前記認識する段階は、
前記物品が流通期限管理物品である場合、前記物品の流通期限の日付および品質保持期限（ｓｈｅｌｆ  ｌｉｆｅ）に基づいて前記物品が除去対象であるか否かを判断し、
前記物品が製造日付管理物品である場合、前記物品の製造日付および品質保持期限に基づいて前記物品が除去対象であるか否かを判断する段階を含む、請求項１に記載の動作方法。
【請求項７】
前記認識する段階は、
前記物品の流通期限関連情報が不在である場合、前記物品を除去対象と認識する段階を含む、請求項１に記載の動作方法。
【請求項８】
除去対象それぞれの流通期限関連情報、位置情報、除去数量および残存数量に関する情報、および作業者に関する情報のうち少なくとも１つを、前記電子装置のディスプレイを介して提供する段階をさらに含む、請求項１に記載の動作方法。
【請求項９】
前記除去対象に関する情報は、
前記除去対象の位置情報、識別情報、および除去基準情報のうち少なくとも１つを含む、請求項１に記載の動作方法。
【請求項１０】
在庫管理（ｓｔｏｃｋ  ｍａｎａｇｅｍｅｎｔ）のための端末の動作方法であって、
除去対象である物品に関する情報を出力する段階と、
前記除去対象に関する情報を作業者に提供する段階と、
前記作業者により前記端末にＧＵＩ（Ｇｒａｐｈｉｃａｌ  Ｕｓｅｒ  Ｉｎｔｅｒｆａｃｅ）を介して、実物数量の除去数量に関する情報および残存数量に関する情報が入力されたことに基づいて、前記物品の実物数量のうち在庫から除去される除去数量に関する情報、および前記物品の実物数量のうち前記除去数量以外の残存数量に関する情報を獲得する段階と、
前記除去数量に関する情報および前記残存数量に関する情報を出力する段階と、を含み、
電算数量は、前記除去対象の電算数量が前記実物数量と一致しない場合、前記実物数量を基準として調整され、
前記電算数量が前記実物数量より第１数量だけ多い場合、前記電算数量のうち前記第１数量を、前記在庫とは異なる所定のロケーションの在庫に割り当てられ、
前記電算数量が前記実物数量より第２数量だけ少ない場合、前記所定のロケーションの在庫に割り当てられた全部または一部の数量である第３数量を前記除去対象の電算数量に割り当てられる、
動作方法。
【請求項１１】
請求項１に記載の方法をコンピュータで実行させるためのプログラムを記録したコンピュータで読み取り可能な非一時的な記録媒体。
【請求項１２】
在庫管理（ｓｔｏｃｋ  ｍａｎａｇｅｍｅｎｔ）のための電子装置であって、
通信デバイス（ｃｏｍｍｕｎｉｃａｔｉｏｎ  ｄｅｖｉｃｅ）と、
物品（ｉｔｅｍ）の流通期限関連情報を基礎として前記物品を除去対象と認識し、
前記通信デバイスを介して前記除去対象に関する情報を端末（ｔｅｒｍｉｎａｌ）に伝送し、
前記端末が前記除去対象に関する情報を作業者に提供し、前記作業者により前記端末にＧＵＩ（Ｇｒａｐｈｉｃａｌ  Ｕｓｅｒ  Ｉｎｔｅｒｆａｃｅ）を介して、実物数量の除去数量に関する情報および残存数量に関する情報が入力されたことに基づいて、前記通信デバイスを介して前記端末から、前記物品の実物数量のうち在庫から除去される除去数量に関する情報、および前記物品の実物数量のうち前記除去数量以外の残存数量に関する情報を獲得し、
前記除去数量に関する情報および前記残存数量に関する情報に基づいて前記在庫に関する情報をアップデートする制御部（ｃｏｎｔｒｏｌｌｅｒ）と、を含み、
前記制御部は、
電算数量が前記実物数量と一致しない場合、前記実物数量を基準として前記電算数量を調整し、
前記電算数量が前記実物数量より第１数量だけ多い場合、前記電算数量のうち前記第１数量を、前記在庫とは異なる所定のロケーションの在庫に割り当て、
前記電算数量が前記実物数量より第２数量だけ少ない場合、前記所定のロケーションの在庫に割り当てられた全部または一部の数量である第３数量を前記除去対象の電算数量に割り当てる、
電子装置。
【発明の詳細な説明】
【技術分野】
【０００１】
本開示は、在庫管理のための電子装置およびその動作方法に関する。
【背景技術】
【０００２】
注文時に顧客に運送されるための多数の物品が在庫として物流センターに貯蔵され得る。在庫の移動によって物品の位置が変更されたり、物品の廃棄処理によって物品の数量が変更され得るところ、在庫をより正確かつ効率的に管理する必要性が存在する。
【発明の概要】
【発明が解決しようとする課題】
【０００３】
開示された実施形態は、電子装置およびその動作方法を開示しようとする。本実施形態が達成しようとする技術的課題は、前述したような技術的課題に限定されず、以下の実施形態からさらに他の技術的課題が類推され得る。
【課題を解決するための手段】
【０００４】
第１実施形態によって、電子装置の動作方法は、物品（ｉｔｅｍ）の流通期限関連情報を基礎として物品を除去対象と認識する段階と、除去対象に関する情報を端末（ｔｅｒｍｉｎａｌ）に伝送する段階と、端末から、除去対象の実物数量のうち在庫から除去される除去数量に関する情報、および除去対象の実物数量のうち除去数量以外の残存数量に関する情報を獲得する段階と、除去数量に関する情報および残存数量に関する情報に基づいて在庫に関する情報をアップデートする段階とを含むことができる。
【０００５】
第２実施形態によって、在庫管理のための端末の動作方法は、除去対象である物品に関する情報を出力する段階と、除去対象の実物数量のうち在庫から除去される除去数量に関する情報、および除去対象の実物数量のうち除去数量以外の残存数量に関する情報を獲得する段階と、除去数量に関する情報および残存数量に関する情報を出力する段階とを含むことができる。
【０００６】
第３実施形態によって、在庫管理のための電子装置は、通信デバイスと、物品（ｉｔｅｍ）の流通期限関連情報を基礎として物品を除去対象と認識し、通信デバイスを介して除去対象に関する情報を端末（ｔｅｒｍｉｎａｌ）に伝送し、通信デバイスを介して端末から、除去対象の実物数量のうち在庫から除去される除去数量に関する情報、および除去対象の実物数量のうち除去数量以外の残存数量に関する情報を獲得し、除去数量に関する情報および残存数量に関する情報に基づいて在庫に関する情報をアップデートする制御部（ｃｏｎｔｒｏｌｌｅｒ）とを含むことができる。
【０００７】
第４実施形態によって、コンピュータで読み取り可能な記録媒体は、上述した方法をコンピュータで実行させるためのプログラムを記録した非一時的な記録媒体を含む。
【０００８】
その他実施形態の具体的な事項は、詳細な説明および図面に含まれている。
【発明の効果】
【０００９】
本開示によれば、電子装置は、物品の管理類型が変更される場合など既設定の条件が発生するに伴って物品が除去対象であるか否かを判断し、除去対象である物品の除去数量および残存数量に関する情報を基礎として在庫に関する情報をアップデートするところ、より正確かつ効率的に在庫を管理することができる。
【００１０】
発明の効果は、以上で言及した効果に制限されず、言及されていないさらに他の効果は、請求範囲の記載から当該技術分野における通常の技術者に明確に理解され得る。
【図面の簡単な説明】
【００１１】
【図１】一実施形態に係る在庫管理のためのシステムを示す図である。
【図２】電子装置の動作方法の一実施形態を示す図である。
【図３】電子装置および端末が動作する一実施形態を示す図である。
【図４】端末が除去対象に関する情報を出力する実施形態を示す図である。
【図５】端末が除去数量および残存数量に関する情報を獲得する実施形態を示す図である。
【図６】端末が残存数量に対する流通期限関連情報を獲得する一実施形態を示す図である。
【図７】端末が残存数量に対する流通期限関連情報を獲得する他の実施形態を示す図である。
【図８】端末が残存数量に対する流通期限関連情報を獲得するさらに他の実施形態を示す図である。
【図９】端末がトートと関連した情報を出力する実施形態を示す図である。
【図１０】電子装置が在庫に関する情報をアップデートする実施形態を示す図である。
【図１１】電子装置が在庫に関する情報を表示する実施形態を示す図である。
【図１２】電子装置のブロック図を示す図である。
【図１３】端末が動作する方法の一実施形態を示す図である。
【発明を実施するための形態】
【００１２】
実施形態において使用される用語は、本開示での機能を考慮しつつ、できるだけ現在広く使用される一般的な用語を選択したが、これは、当分野に従事する技術者の意図または判例、新しい技術の出現等によって変わり得る。また、特定の場合は、出願人が任意に選定した用語もあり、この場合、該当する説明の部分で詳細にその意味を記載する。したがって、本開示において使用される用語は、単純な用語の名称でなく、その用語が有する意味と本開示の全般にわたる内容に基づいて定義されなければならない。
【００１３】
明細書全体において任意の部分が或る構成要素を「含む」というとき、これは、特に反対になる記載がない限り、他の構成要素を除外するものではなく、他の構成要素をさらに含むことができることを意味する。または、明細書に記載された「…部」、「…モジュール」等の用語は、少なくとも１つの機能や動作を処理する単位を意味し、これは、ハードウェアまたはソフトウェアで具現されたり、ハードウェアまたはソフトウェアの結合で具現され得る。
【００１４】
明細書全体において記載された「ａ、ｂ、およびｃのうち少なくとも１つ」の表現は、「ａ単独」、「ｂ単独」、「ｃ単独」、「ａおよびｂ」、「ａおよびｃ」、「ｂおよびｃ」、または「ａ、ｂ、ｃ全部」を包括することができる。
【００１５】
以下で言及される「端末」は、ネットワークを介してサーバーや他の端末に接続できるコンピュータや携帯用端末で具現され得る。ここで、コンピュータは、例えば、ウェブブラウザ（ＷＥＢ  Ｂｒｏｗｓｅｒ）が搭載されたノートパソコン、デスクトップ（ｄｅｓｋｔｏｐ）、ラップトップ（ｌａｐｔｏｐ）等を含み、携帯用端末は、例えば、携帯性と移動性が保障される無線通信装置であって、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）等の通信基盤端末、スマートフォン、タブレットＰＣ等のようなすべての種類のハンドヘルド（Ｈａｎｄｈｅｌｄ）基盤の無線通信装置を含むことができる。
【００１６】
以下では、添付の図面を参照して本開示の実施形態について本開示に属する技術分野における通常の知識を有する者が容易に実施できるように詳細に説明する。しかしながら、本開示は、様々な異なる形態で具現され得、ここで説明する実施形態に限定されない。
【００１７】
以下では、図面を参照して本開示の実施形態を詳細に説明する。
【００１８】
図１は、一実施形態に係る在庫管理のためのシステムを示す。
【００１９】
図１を参照すると、在庫管理（ｓｔｏｃｋ  ｍａｎａｇｅｍｅｎｔ）のためのシステム１は、電子装置１００および端末２００を含むことができる。図１に示されたシステム１は、本実施形態と関連した構成要素のみが示されている。したがって、図１に示された構成要素以外に他の汎用的な構成要素がさらに含まれ得ることを本実施形態と関連した技術分野における通常の知識を有する者なら理解することができる。
【００２０】
電子装置１００および端末２００は、ネットワーク内で互いに通信できる。ネットワークは、近距離通信網（Ｌｏｃａｌ  Ａｒｅａ  Ｎｅｔｗｏｒｋ；ＬＡＮ）、広域通信網（Ｗｉｄｅ  Ａｒｅａ  Ｎｅｔｗｏｒｋ；ＷＡＮ）、付加価値通信網（Ｖａｌｕｅ  Ａｄｄｅｄ  Ｎｅｔｗｏｒｋ；ＶＡＮ）、移動通信網（ｍｏｂｉｌｅ  ｒａｄｉｏ  ｃｏｍｍｕｎｉｃａｔｉｏｎ  ｎｅｔｗｏｒｋ）、衛星通信網およびこれらの相互組合せを含み、各ネットワーク構成の主体が互いに円滑に通信ができるようにする包括的な意味のデータ通信網であり、有線インターネット、無線インターネットおよびモバイル無線通信網を含むことができる。無線通信は、例えば、無線ＬＡＮ（Ｗｉ−Ｆｉ）、ブルートゥース(登録商標)、ブルートゥース(登録商標)低エネルギー（Ｂｌｕｅｔｏｏｔｈ  ｌｏｗ  ｅｎｅｒｇｙ）、ジグビー、ＷＦＤ（Ｗｉ−Ｆｉ  Ｄｉｒｅｃｔ）、ＵＷＢ（ｕｌｔｒａ  ｗｉｄｅｂａｎｄ）、赤外線通信（ＩｒＤＡ，ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等があり得るが、これに限定されるものではない。
【００２１】
電子装置１００は、物流センターの在庫を管理することができる。具体的に、注文時に顧客に運送されるための物品（ｉｔｅｍ）が在庫として物流センターに貯蔵され得、電子装置１００は、このような在庫に関する情報をデータベースに保存することができる。例えば、電子装置１００は、各物品の位置、状態、または数量に関する情報をデータベースに保存することができる。また、電子装置１００は、在庫に関する情報をモニタリングすることができ、在庫で変動が発生する場合、在庫に関する情報をアップデートすることができる。例えば、電子装置１００は、在庫の移動によって物品の位置が変更されたり、物品の廃棄処理によって物品の数量が変更される場合、在庫に関する情報をアップデートすることができる。一実施形態によって、電子装置１００は、倉庫管理システム（ｗａｒｅｈｏｕｓｅ  ｍａｎａｇｅｍｅｎｔ  ｓｙｓｔｅｍ）に含まれ得る。
【００２２】
電子装置１００は、在庫に関する作業命令を端末２００に伝送することができる。例えば、電子装置１００は、特定物品の位置移動に関する作業命令、または特定物品の除去に関する作業命令を端末２００に伝送することができる。また、電子装置１００は、端末２００から作業結果を受信することができ、作業結果を基礎として在庫に関する情報をアップデートすることができる。端末２００は、作業者が所持する端末であり得る。
【００２３】
電子装置１００は、流通期限関連情報に基づいて在庫で除去対象を認識することができる。具体的に、電子装置１００は、各物品の流通期限関連情報を基礎として流通期限が過ぎたか、迫っている物品に対しては、在庫から除去される対象と認識することができる。電子装置１００は、除去対象を在庫から除去することを示す作業命令を端末２００に伝送することができる。電子装置１００は、端末２００から除去対象に対する除去結果を受信することができ、除去結果を基礎として在庫に関する情報をアップデートすることができる。
【００２４】
電子装置１００は、在庫管理サービスのためのプラットホームを提供できる。具体的に、電子装置１００は、在庫管理サービスのためのアプリケーションを端末２００に提供することができ、電子装置１００は、アプリケーションを実行して電子装置１００に接続された端末２００を介して在庫管理サービスを提供することができる。例えば、電子装置１００は、在庫管理サービスを提供するサーバーに含まれ得る。
【００２５】
図２は、電子装置の動作方法の一実施形態を示す。
【００２６】
段階Ｓ２１０で、電子装置１００は、物品の流通期限関連情報を基礎として物品を除去対象と認識することができる。電子装置１００は、物品の流通期限関連情報を基礎として現在の日付に対して物品の流通期限が過ぎたか、迫っているか否かを判断することができ、現在の日付に対して物品の流通期限が過ぎたか、迫っている場合、物品を在庫から除去する対象と認識することができる。
【００２７】
本開示において、物品は、単一の物品を意味したり、同一の種類の物品セットを意味し得る。また、物品は、同じ在庫保管単位（ＳＫＵ：Ｓｔｏｃｋ  Ｋｅｅｐｉｎｇ  Ｕｎｉｔ）に該当する所定数量の物品を意味し得る。例えば、特定のＳＫＵ  ＩＤを有する物品は、所定数量の物品を示すことができる。
【００２８】
一実施形態によって、物品が流通期限管理物品である場合、物品の流通期限関連情報は、物品の流通期限の日付を含むことができるところ、電子装置１００は、現在の日付と物品の流通期限の日付を比較することができ、現在の日付に対して物品の流通期限の日付が過ぎたか、同一である場合、物品を除去対象と認識することができる。他の実施形態によって、物品が流通期限管理物品である場合、物品の流通期限関連情報は、物品の流通期限の日付および物品の品質保持期限（ｓｈｅｌｆ  ｌｉｆｅ）を含むことができ、電子装置１００は、物品の流通期限の日付および品質保持期限に基づいて計算された日付と現在の日付を比較して、物品が除去対象であるか否かを判断することができる。例えば、電子装置１００は、物品の流通期限の日付から品質保持期限を差し引いた第１日付と現在の日付を比較して、現在の日付に対して第１日付が過ぎたか、同一である場合、物品を除去対象と認識することができる。物品の品質保持期限は、物品の特性によって設定され得る。
【００２９】
さらに他の実施形態によって、物品が製造日付管理物品である場合、物品の流通期限関連情報は、物品の製造日付および物品の品質保持期限を含むことができ、電子装置１００は、物品の製造日付および品質保持期限に基づいて計算された日付と現在の日付を比較して、物品が除去対象であるか否かを判断することができる。例えば、電子装置１００は、物品の製造日付から品質保持期限を付加した第１日付と現在の日付を比較して、現在の日付に対して第１日付が過ぎたか、同一である場合、物品を除去対象と認識することができる。物品の品質保持期限は、物品の特性によって設定され得る。
【００３０】
電子装置１００は、物品の流通期限関連情報が不在である場合、物品を除去対象と認識することができる。例えば、第１物品の管理類型が製造日付管理物品から流通期限管理物品に変更される場合、第１物品の流通期限の日付情報が不在であり得、その結果、電子装置１００は、第１物品を除去対象と認識することができる。
【００３１】
電子装置１００は、物品を除去対象と認識する場合、物品の全体数量から顧客の注文数量を除いた残りの数量の物品を除去対象と認識することができる。例えば、物品の４個の数量のうち２個の数量が顧客の注文数量に割り当てられた場合、電子装置１００は、２個の数量の物品が除去対象であると認識することができる。したがって、電子装置１００は、物品の全体数量のうち顧客注文数量を除いた数量の物品を除去対象であると認識するところ、すでに注文に割り当てられた物品が除去対象に含まれるＯＯＳキャンセル（Ｏｕｔ  Ｏｆ  ｓｔｏｃｋ  ｃａｎｃｅｌ）の発生を防止することができる。
【００３２】
電子装置１００は、既設定の時点を基準として在庫で各物品が除去対象であるか否かを判断することができる。例えば、電子装置１００は、００時を基準として在庫で各物品が除去対象であるか否かを判断することができる。また、電子装置１００は、物品の管理類型が変更される場合、物品が除去対象であるか否かをリアルタイムで判断することができる。例えば、電子装置１００は、物品の管理類型が流通期限管理物品から製造日付管理物品に変更される場合、物品の製造日付および品質保持期限に基づいて計算された日付と現在の日付を比較して、物品が除去対象であるか否かを判断することができる。また、電子装置１００は、物品の流通期限関連情報が変更される場合、物品が除去対象であるか否かをリアルタイムで判断することができる。例えば、電子装置１００は、物品の品質保持期限、製造日付、流通期限の日付のうち少なくとも１つが変更される場合、変更される品質保持期限、製造日付、または流通期限の日付を基準として物品が除去対象であるか否かを判断することができる。
【００３３】
電子装置１００は、物品の配置位置が変更される場合、物品が除去対象であるか否かをリアルタイムで判断することができる。例えば、電子装置１００は、物品の配置位置が問題ゾーン（ｐｒｏｂｌｅｍ  ｚｏｎｅ）からバッファーゾーン（ｂｕｆｆｅｒ  ｚｏｎｅ）またはピッキングゾーン（ｐｉｃｋｉｎｇ  ｚｏｎｅ）に移動する場合、物品が除去対象であるか否かを判断することができる。また、電子装置１００は、物品に対する出庫または在庫の移動による割当が解除される場合、物品が除去対象であるか否かをリアルタイムで判断することができる。例えば、電子装置１００は、顧客の注文によって第１物品に対して出庫による割当が行われた後に、顧客の注文の取り消しによって第１物品に対する割当が解除される場合、第１物品が除去対象であるか否かを判断することができる。
【００３４】
段階Ｓ２２０で、電子装置１００は、段階Ｓ２１０で認識された除去対象に関する情報を端末に伝送することができる。換言すれば、電子装置１００は、在庫で除去対象と認識された各物品に関する情報を端末に伝送することができる。除去対象に関する情報は、除去対象の識別情報、位置情報、および除去基準情報のうち少なくとも１つを含むことができる。除去対象の除去基準情報は、除去対象の流通期限関連情報に基づいて設定され得る。また、電子装置１００は、除去対象に対する除去作業命令を端末に伝送することができる。
【００３５】
段階Ｓ２３０で、電子装置１００は、端末から、除去対象の実物数量のうち在庫から除去される除去数量に関する情報、および除去対象の実物数量のうち除去数量以外の残存数量に関する情報を獲得することができる。具体的に、作業者は、除去対象である物品の実物数量を確認することができ、実物数量のうち流通期限が過ぎたか、流通期限が迫った物品の数量を除去数量として端末に入力することができ、実物数量のうち、除去数量でなく、流通期限に余裕がある物品の数量を残存数量として端末に入力することができる。したがって、電子装置１００は、端末から端末に入力された除去数量に関する情報および残存数量に関する情報を受信することができる。
【００３６】
電子装置１００は、端末から残存数量に対する流通期限関連情報をさらに獲得することができる。残存数量が１個である場合、残存数量に対する流通期限関連情報は、残存数量の物品の流通期限の日付または製造日付を含むことができる。残存数量が複数個であり、除去対象が流通期限管理物品である場合、残存数量に対する流通期限関連情報は、残存数量の物品の流通期限の日付のうち最も早い流通期限の日付を含むことができる。同様に、残存数量が複数個であり、除去対象が製造日付管理物品である場合、残存数量に対する流通期限関連情報は、残存数量の物品の製造日付のうち最も早い製造日付を含むことができる。
【００３７】
段階Ｓ２４０で、電子装置１００は、段階Ｓ２３０で獲得した除去数量に関する情報および残存数量に関する情報に基づいて在庫に関する情報をアップデートすることができる。電子装置１００は、在庫内で除去対象である物品の電算数量に関する情報をアップデートすることができる。電子装置１００は、除去対象の電算数量が実物数量と一致するか否かを判断することができ、一致しない場合、実物数量を基準として電算数量を調整することができる。具体的な実施形態は、以下、図１０を参照して記述することとする。
【００３８】
電子装置１００は、残存数量に対する流通期限関連情報に基づいて除去対象である物品の流通期限関連情報をアップデートすることができる。例えば、電子装置１００は、除去対象物品の残存数量に対する流通期限の日付に基づいて除去対象である物品のＬＰＮ（Ｌｉｃｅｎｓｅ  Ｐｌａｔｅ  Ｎｕｍｂｅｒ）情報をアップデートすることができる。
【００３９】
したがって、電子装置１００は、物品の管理類型が変更される場合など既設定の条件が発生するのに伴って物品が除去対象であるか否かを判断し、除去対象である物品の除去数量および残存数量に関する情報を基礎として在庫に関する情報をアップデートするところ、より正確かつ効率的に在庫を管理することができる。
【００４０】
図３は、電子装置および端末が動作する一実施形態を示す。
【００４１】
段階Ｓ３０２で、電子装置３００は、在庫で除去対象を認識することができる。具体的に、電子装置３００は、在庫内の各物品の流通期限関連情報に基づいて各物品が流通期限切迫または流通期限満了による除去対象であるか否かを判断することができる。Ｓ３０２は、図２の段階Ｓ２１０の内容を含むところ、重複する内容については説明を省略する。
【００４２】
段階Ｓ３０４で、電子装置３００は、除去対象に関する情報を端末３５０に伝送することができる。段階Ｓ３０４は、図２の段階Ｓ２２０の内容を含むところ、重複する内容については説明を省略する。
【００４３】
段階Ｓ３０６で、端末３５０は、除去対象に関する情報を出力することができる。例えば、端末３５０は、除去対象の識別情報、除去基準情報、および位置情報のうち少なくとも１つをディスプレイを介して表示することができる。
【００４４】
図４は、端末が除去対象に関する情報を出力する実施形態を示す。
【００４５】
端末４００は、作業者にトートバーコード（ｔｏｔｅ  ｂａｒｃｏｄｅ）をスキャンすることを要請するイメージ４１０をディスプレイを介して表示することができる。
【００４６】
作業者が端末４００のスキャナを用いてトートバーコードをスキャンする場合、端末４００は、作業者が除去作業するゾーン（ｚｏｎｅ）を選択することを要請するイメージ４２０および除去作業する通路を選択することを要請するイメージ４３０をディスプレイを介して表示することができる。作業者は、イメージ４２０を確認して除去作業を行うゾーン（ｚｏｎｅ）を選択することができ、端末４００は、作業者から選択を入力され得る。次に、作業者は、イメージ４３０を確認して除去作業を行う通路を選択することができ、端末４００は、作業者から選択を入力され得る。例えば、作業者は、端末４００のタッチスクリーンを介して作業ゾーンおよび作業通路を選択することができる。
【００４７】
作業者が作業するゾーンおよび通路が選択された後、端末４００は、作業者が除去作業する位置に関する情報を表示し、位置バーコードをスキャンすることを要請するイメージ４４０をディスプレイを介して表示することができる。
【００４８】
さらに図３を参照すると、段階Ｓ３０８で、端末３５０は、除去対象の実物数量のうち除去数量に関する情報、および除去対象の実物数量のうち除去数量以外の残存数量に関する情報を獲得することができる。
【００４９】
具体的に、作業者は、端末３５０を介して除去対象に関する情報を提供され得、特定位置に存在する除去対象である実物数量の物品を確認することができる。次に、作業者は、電子装置３００により提供される除去基準情報を基礎として、実物数量のうち除去数量および残存数量を確認することができ、除去数量および実物数量に関する情報を端末３５０に入力することができる。
【００５０】
端末３５０は、残存数量に対する流通期限関連情報を獲得することができる。具体的に、作業者は、実物数量の物品のうち残存数量の物品の流通期限または製造日付を確認することができ、残存数量の物品の流通期限または製造日付を端末３５０に入力することができる。残存数量が２個以上である場合、作業者は、残存数量の物品の流通期限の日付のうち最も早い日付、または製造日付のうち最も早い製造日付を端末３５０に入力することができる。
【００５１】
図５は、端末が除去数量および残存数量に関する情報を獲得する実施形態を示す。
【００５２】
端末５００は、除去対象に関連した情報および除去対象の商品バーコードをスキャンすることを要請するメッセージを含むイメージ５１０をディスプレイを介して表示することができる。イメージ５１０は、除去対象の位置情報５１２、除去対象の識別情報５１４、および除去対象の除去基準情報５１６を含むことができる。したがって、作業者は、位置情報５１２および識別情報５１４を確認して、除去対象である物品のバーコードを端末５００のスキャナを用いてスキャンすることができる。
【００５３】
端末５００は、商品のバーコードスキャンに関連した問題発生を報告できるメニュー５１８を作業者に提供することができる。作業者は、メニュー５１８を選択して、商品バーコードが損傷したり、除去対象が実際に存在しない問題点を端末５００に入力することができる。また、端末５００に入力された問題点に関する情報は、電子装置に伝送され得る。
【００５４】
端末５００は、作業者が除去対象の実物数量のうち除去数量および残存数量を端末５００に入力できるＧＵＩ（Ｇｒａｐｈｉｃａｌ  Ｕｓｅｒ  Ｉｎｔｅｒｆａｃｅ）を具現することができる。例えば、端末５００は、イメージ５２０のように作業者により除去数量および残存数量を入力できるタッチスクリーンを具現することができる。作業者は、除去基準情報５１６に基づいて除去対象の実物数量のうち除去数量および残存数量を確認し、確認された除去数量および残存数量に関する情報を端末５００に入力することができる。除去基準情報５１６は、除去対象の流通期限を基礎として設定され得る。
【００５５】
図６は、端末が残存数量に対する流通期限関連情報を獲得する一実施形態を示す。
【００５６】
端末６００は、イメージ６１０のように作業者から除去数量および残存数量に関する情報を入力され得る。次に、端末６００は、残存数量に対する流通期限関連情報を入力することを要請するメッセージを含むイメージ６２０を表示することができる。
【００５７】
端末６００は、作業者が残存数量に対する流通期限関連情報を入力できるＧＵＩを具現することができる。例えば、端末６００は、イメージ６３０のように作業者により流通期限関連情報を入力できるタッチスクリーンを具現することができる。作業者は、残存数量が２個以上である場合、残存数量の物品の流通期限の日付のうち最も早い日付を端末６００に入力することができる。例えば、作業者は、イメージ６３０の日付選択メニュー６３２を介して残存数量の物品の流通期限の日付のうち最も早い日付を端末６００に入力することができる。
【００５８】
端末６００は、日付選択メニュー６３２を介して入力される流通期限の日付が誤った日付である場合、流通期限の日付に対する再入力を要請したり、除去数量および残存数量に対する再入力を要請することができる。例えば、作業者により入力された流通期限の日付が除去対象の除去基準に該当する流通期限の日付と同一である場合、端末６００は、流通期限の日付に対する再入力を要請したり、除去数量および残存数量に対する再入力を要請することができる。
【００５９】
端末６００は、作業者の入力に基づいて、物品の除去数量および残存数量に関する情報６４２および残存数量に対する流通期限関連情報６４４を含むイメージ６４０を表示することができる。
【００６０】
図７は、端末が残存数量に対する流通期限関連情報を獲得する他の実施形態を示す。
【００６１】
端末７００は、作業者により流通期限関連情報を入力できるＧＵＩを具現することができる。端末７００は、製造日付により計算される流通期限関連情報を入力することを要請するメッセージを含むイメージ７１０を表示することができる。例えば、作業者は、残存数量が２個以上である場合、残存数量の物品の製造日付のうち最も早い製造日付を端末７００に入力することができ、最も早い製造日付を始点として有する所定の期間に関する情報を端末７００に入力することができる。例えば、作業者は、イメージ７２０の製造日付選択メニュー７２２および期間選択メニュー７２４を介して最も早い製造日付、および最も早い製造日付を有する物品の消費推奨期間を端末７００に入力することができる。
【００６２】
端末７００は、作業者の入力に基づいて、物品の除去数量および残存数量に関する情報７３２および残存数量に対する流通期限関連情報７３４を含むイメージ７３０を表示することができる。残存数量に対する流通期限関連情報７３４は、作業者から端末７００に入力された最も早い製造日付および所定期間に基づいて計算され得る。
【００６３】
図８は、端末が残存数量に対する流通期限関連情報を獲得するさらに他の実施形態を示す。
【００６４】
端末８００は、作業者により流通期限関連情報を入力できるＧＵＩを具現することができる。具体的に、端末８００は、製造日付に関する情報を入力することを要請するメッセージを含むイメージ８１０を表示することができる。作業者は、残存数量が２個以上である場合、残存数量の物品の製造日付のうち最も早い製造日付を端末８００に入力することができる。例えば、作業者は、イメージ８２０の製造日付選択メニュー８２２を介して最も早い製造日付である２０１８年１２月３０日に関する情報を端末８００に入力することができる。
【００６５】
端末８００は、作業者の入力に基づいて、物品の除去数量および残存数量に関する情報８３２および残存数量に対する流通期限関連情報８３４を含むイメージ８３０を表示することができる。残存数量に対する流通期限関連情報８３４は、作業者から端末８００に入力された最も早い製造日付を示すことができる。物品が製造日付管理商品である場合、物品に対する流通期限管理は、物品の製造日付に基づくところ、残存数量に対する流通期限関連情報は、残存数量の物品の製造日付のうち最も早い製造日付に関する情報を含むことができる。
【００６６】
さらに図３を参照すると、段階Ｓ３１０で、端末３５０は、段階Ｓ３０８で獲得した除去数量に関する情報および残る数量に関する情報を電子装置３００に伝送することができる。また、端末３５０は、残存数量に対する流通期限関連情報を電子装置３００に伝送することができる。
【００６７】
また、端末３５０は、除去数量の入ったトートが満杯か否かを作業者に問い合わせすることができ、作業者から除去数量がトートに満杯であるという応答を受信する場合、トートを廃棄処理区域に移すことを作業者に指示することができる。反対に、端末３５０は、作業者から除去数量がトートに満杯でないという応答を受信する場合、追加除去対象の位置情報を出力することができる。
【００６８】
段階Ｓ３１２で、電子装置３００は、端末３５０から獲得した除去数量に関する情報および残存数量に関する情報に基づいて在庫に関する情報をアップデートすることができる。段階Ｓ３１２は、図２の段階Ｓ２４０の内容を含むところ、重複する内容については説明を省略する。
【００６９】
図９は、端末がトートと関連した情報を出力する実施形態を示す。
【００７０】
端末９００は、作業者から除去数量および残存数量に関する情報、および残存数量に対する流通期限関連情報を入力され得、次に、端末９００は、トートに他の除去対象物品を入れることができるか否かを選択するメニューを作業者に提供することができる。すなわち、作業者は、除去対象の実物数量のうち除去数量に関する情報を端末９００に入力した後、除去数量の物品をトートに入れることができるところ、端末９００は、トートに追加除去対象の除去数量を入れることができる空間が存在するか否かを作業者に問い合わせることができる。例えば、端末９００は、トートに他の除去対象物品を入れることができるか否かを選択するメニュー９１２、９１３を含むイメージ９１０を表示することができる。
【００７１】
端末９００がトートに他の除去対象を入れることができるというメニュー９１２を選択する入力を作業者から受信する場合、端末９００は、他の除去対象の位置情報を出力することができる。例えば、端末９００は、作業者が他の除去対象に対する除去作業のための位置情報を表示し、位置バーコードをスキャンすることを要請するイメージ９２０を表示することができる。
【００７２】
端末９００は、位置バーコードのスキャンに関連した問題発生を報告できるメニュー９２２を作業者に提供することができる。作業者は、メニュー９２２を選択して、位置バーコードが損傷したり、位置を探せない問題点を端末９００に入力することができる。また、端末９００に入力された問題点に関する情報は、電子装置に伝送され得る。
【００７３】
端末９００がトートに他の除去対象を入れることができないというメニュー９１３を選択する入力を作業者から受信する場合、端末９００は、満杯のトートを廃棄処理ゾーンに移すことを要請するメッセージを作業者に伝達することができる。例えば、端末９００は、イメージ９３０を介して、満杯のトートを廃棄処理ゾーンに移すことを要請するメッセージを作業者に伝達することができる。また、端末９００は、イメージ９３０内の最近トートフル内訳９３２を選択する入力を作業者から受信することができる。この場合、端末９００は、満杯のトートリストを示すイメージ９４０を表示することができる。したがって、作業者は、イメージ９４０を介して作業者の除去作業現況を把握することができる。例えば、作業者が複数のトートを通じて除去作業を進行中である場合、イメージ９４０を介して満杯のトートと満杯でないトートを区別して除去作業を進めることができる。
【００７４】
図１０は、電子装置が在庫に関する情報をアップデートする実施形態を示す。
【００７５】
段階Ｓ１０１０で、電子装置１００は、端末から除去対象の除去数量および残存数量に関する情報を獲得することができる。
【００７６】
段階Ｓ１０２０で、電子装置１００は、除去対象の電算数量が除去数量および残存数量である実物数量と一致するか否かを判断することができる。除去対象の電算数量は、電子装置１００が電算上で把握している除去対象である物品の数量を意味し得、また、特定位置での在庫として割り当てられた物品数量を意味し得る。例えば、除去対象の電算数量は、バッファーまたはピッキングゾーンでの在庫として割り当てられた物品数量でありうる。
【００７７】
段階Ｓ１０２０で、電算数量が実物数量と一致する場合、段階Ｓ１０３０で、電子装置１００は、除去数量および残存数量に基づいて在庫に関する情報をアップデートすることができる。具体的に、電子装置１００は、在庫内で除去対象である物品の電算数量のうち除去数量および残存数量を区別することができ、残存数量が存在する場合、残存数量の流通期限関連情報を保存することができる。
【００７８】
電子装置１００は、除去対象である物品の電算数量を残存数量にアップデートすることができる。換言すれば、電子装置１００は、除去対象であった物品に対する除去作業結果によって、物品の電算数量の数値を端末から伝送された物品の残存数量の数値にアップデートすることができる。また、電子装置１００は、除去対象である物品の流通期限関連情報を残存数量の流通期限関連情報にアップデートすることができる。
【００７９】
段階Ｓ１０２０で、電算数量が実物数量と一致しない場合、段階Ｓ１０４０で、電子装置１００は、電算数量が実物数量より多いか否かを判断することができる。
【００８０】
段階Ｓ１０４０で、電算数量が実物数量より第１数量だけ多い場合、段階Ｓ１０５０で、電子装置１００は、電算数量のうち第１数量だけ所定のロケーションの在庫に割り当てることができる。換言すれば、電子装置１００は、電算数量のうち第１数量に対して除去対象への割当を解除させ、割当解除された第１数量を所定のロケーションの在庫に割り当てることができる。その結果、電子装置１００は、電算数量を実物数量に調整することができる。例えば、電子装置１００は、電算数量のうち第１数量を問題ゾーン（ｐｒｏｂｌｅｍ  ｚｏｎｅ）の在庫に割り当てることができる。
【００８１】
段階Ｓ１０４０で、電算数量が実物数量より第３数量だけ少ない場合、段階Ｓ１０６０で、電子装置１００は、所定のロケーションの在庫に割り当てられた第２数量を除去対象の電算数量に割り当てることができる。電子装置１００は、第２数量と第３数量が同じ数量である場合、電子装置１００は、所定のロケーションの在庫に割り当てられた第２数量を除去対象の電算数量に追加で割り当てて、電算数量を実物数量に調整することができる。第２数量が第３数量より少ない場合、電子装置１００は、所定のロケーションの第２数量を除去対象の電算数量に割り当てた後、第２数量と第３数量の差異だけ除去対象の電算数量に追加で割り当てて、電算数量を実物数量に調整することができる。例えば、電子装置１００は、問題ゾーン（ｐｒｏｂｌｅｍ）の第２数量を除去対象の電算数量に割り当てることができる。
【００８２】
電子装置１００は、実物数量の数値を有するように調整された電算数量を残存数量にアップデートすることができる。また、電子装置１００は、除去対象である物品の流通期限関連情報を残存数量の流通期限関連情報にアップデートすることができる。
【００８３】
図１１は、電子装置が在庫に関する情報を表示する実施形態を示す。
【００８４】
電子装置１００は、ディスプレイを介して在庫に関する情報１１００を表示することができる。在庫に関する情報１１００は、端末から獲得された除去数量および残存数量に関する情報に基づいてアップデートされ得る。
【００８５】
在庫に関する情報１１００は、在庫内除去対象となる物品の位置情報１１０２を含むことができる。在庫に関する情報１１００は、在庫内除去対象となる物品の識別情報１１０４を含むことができる。識別情報１１０４は、物品のＳＫＵ（Ｓｔｏｃｋ  Ｋｅｅｐｉｎｇ  Ｕｎｉｔ）ＩＤを含むことができる。
【００８６】
在庫に関する情報１１００は、除去対象となる物品の流通期限関連情報１１０６を含むことができ、除去対象となる物品の電算数量に関する情報１１０８を含むことができる。
【００８７】
在庫に関する情報１１００は、除去対象に対する除去作業を行う作業者の識別情報１１１０、除去作業結果による除去数量および残存数量に関する情報１１１２、および除去作業完了日時に関する情報１１１４を含むことができる。また、在庫に関する情報１１００は、作業者が除去作業の進行中に発生するエラーに関する情報１１１６を含むことができる。
【００８８】
図１２は、電子装置のブロック図を示す。
【００８９】
電子装置１２００は、一実施形態によって、通信デバイス（ｃｏｍｍｕｎｉｃａｔｉｏｎ  ｄｅｖｉｃｅ）１２１０および制御部（ｃｏｎｔｒｏｌｌｅｒ）１２２０を含むことができる。図１２に示された電子装置１２００は、本実施形態と関連した構成要素のみが示されている。したがって、図１２に示された構成要素以外に他の汎用的な構成要素がさらに含まれ得ることを本実施形態と関連した技術分野における通常の知識を有する者なら理解することができる。電子装置１２００は、電子装置１００、３００に関する内容を含むことができるところ、重複する内容については説明を省略する。
【００９０】
通信デバイス１２１０は、無線通信を行うための装置であって、外部の電子装置と通信することができる。外部の電子装置は、端末またはサーバーになり得る。また、通信デバイス１２１０が用いる通信技術には、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉ  Ａｃｃｅｓｓ）、ＬＴＥ（Ｌｏｎｇ  Ｔｅｒｍ  Ｅｖｏｌｕｔｉｏｎ）、５Ｇ、ＷＬＡＮ（Ｗｉｒｅｌｅｓｓ  ＬＡＮ）、Ｗｉ−Ｆｉ（Ｗｉｒｅｌｅｓｓ−Ｆｉｄｅｌｉｔｙ）、ブルートゥース(登録商標)（Ｂｌｕｅｔｏｏｔｈ(登録商標)）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ；ＩｒＤＡ）、ＺｉｇＢｅｅ、ＮＦＣ（Ｎｅａｒ  Ｆｉｅｌｄ  Ｃｏｍｍｕｎｉｃａｔｉｏｎ）等がありえる。
【００９１】
制御部１２２０は、電子装置１２００の全般的な動作を制御し、データおよび信号を処理することができる。制御部１２２０は、少なくとも１つのハードウェアユニットで構成され得る。また、制御部１２２０は、メモリに保存されたプログラムコードを実行して生成される１つ以上のソフトウェアモジュールにより動作することができる。制御部１２２０は、プロセッサーおよびメモリを含むことができるところ、プロセッサーは、メモリに保存されたプログラムコードを実行して、電子装置１２００の全般的な動作を制御し、データおよび信号を処理することができる。
【００９２】
制御部１２２０は、物品（ｉｔｅｍ）の流通期限関連情報を基礎として物品を除去対象と認識することができる。
【００９３】
制御部１２２０は、物品の管理類型が変更される場合、物品の流通期限関連情報が変更される場合、物品の配置位置が変更される場合、および物品に対する出庫または在庫移動の割当が解除される場合のうち少なくとも１つの場合に、在庫内物品それぞれが除去対象であるか否かを判断することができる。
【００９４】
制御部１２２０は、物品が流通期限管理物品である場合、物品の流通期限の日付および品質保持期限（ｓｈｅｌｆ  ｌｉｆｅ）に基づいて物品が除去対象であるか否かを判断し、物品が製造日付管理物品である場合、物品の製造日付および品質保持期限に基づいて物品が除去対象であるか否かを判断することができる。
【００９５】
制御部１２２０は、物品の流通期限関連情報が不在である場合、物品を除去対象と認識することができる。
【００９６】
制御部１２２０は、通信デバイス１２１０を制御して、除去対象に関する情報を端末（ｔｅｒｍｉｎａｌ）に伝送することができ、端末から、除去対象の実物数量のうち在庫から除去される除去数量に関する情報、および除去対象の実物数量のうち除去数量以外の残存数量に関する情報を獲得することができる。端末は、除去対象に関する情報を作業者に提供し、作業者からＧＵＩ（Ｇｒａｐｈｉｃａｌ  Ｕｓｅｒ  Ｉｎｔｅｒｆａｃｅ）を介して除去数量に関する情報および残存数量に関する情報を入力され得る。
【００９７】
制御部１２２０は、通信デバイス１２１０を制御して、端末から残存数量に対する流通期限関連情報を獲得することができる。端末は、作業者からＧＵＩを介して残存数量に対する流通期限関連情報を入力され得る。
【００９８】
制御部１２２０は、除去数量に関する情報、および残存数量に関する情報に基づいて在庫に関する情報をアップデートすることができる。制御部１２２０は、残存数量に対する流通期限関連情報に基づいて在庫に関する情報をアップデートすることができる。
【００９９】
制御部１２２０は、除去対象の電算数量が実物数量と一致しない場合、実物数量を基準として電算数量を調整することができる。制御部１２２０は、電算数量が実物数量より第１数量だけ多い場合、電算数量内の第１数量を所定のロケーションの在庫に割り当てることができ、電算数量が実物数量より第２数量だけ少ない場合、所定のロケーションの在庫に割り当てられた第３数量を除去対象の電算数量に割り当てることができる。制御部１２２０は、第２数量より第３数量が少ない場合、第２数量と第３数量の差異だけ除去対象の電算数量に追加で割り当てることができる。
【０１００】
制御部１２２０は、電子装置１２００のディスプレイを介して除去対象それぞれの流通期限関連情報、位置情報、除去数量および残存数量に関する情報、および作業者に関する情報のうち少なくとも１つを提供することができる。
【０１０１】
図１３は、端末が動作する方法の一実施形態を示す。
【０１０２】
段階Ｓ１３１０で、端末２００は、除去対象である物品に関する情報を出力することができる。例えば、端末２００は、ディスプレイを介して除去対象である物品に関する情報を出力することができる。一実施形態によって、端末２００は、通信デバイスを介して除去対象である物品に関する情報を受信することができる。また、端末２００は、制御部を含むことができるところ、端末２００の制御部は、ディスプレイを制御して除去対象である物品に関する情報を出力することができる。
【０１０３】
段階Ｓ１３２０で、端末２００は、除去対象の実物数量のうち在庫から除去される除去数量に関する情報、および除去対象の実物数量のうち除去数量以外の残存数量に関する情報を獲得することができる。例えば、端末２００は、端末２００内の入力デバイスを介して除去数量に関する情報および残存数量に関する情報を獲得することができる。また、端末２００は、制御部を含むことができるところ、端末２００の制御部は、入力デバイスを制御して除去数量に関する情報および残存数量に関する情報を獲得することができる。
【０１０４】
段階Ｓ１３３０で、端末２００は、除去数量に関する情報および残存数量に関する情報を出力することができる。例えば、端末２００は、ディスプレイを介して除去数量に関する情報および残存数量に関する情報を出力することができる。一実施形態によって、端末２００は、通信デバイスを介して除去数量に関する情報および残存数量に関する情報を外部電子装置に伝送することができる。また、端末２００は、制御部を含むことができるところ、端末２００の制御部は、通信デバイスを制御して除去数量に関する情報および残存数量に関する情報を外部電子装置に伝送することができる。
【０１０５】
前述した実施形態に係る電子装置または端末は、プロセッサー、プログラムデータを保存し実行するメモリ、ディスクドライブのような永久保存部（ｐｅｒｍａｎｅｎｔ  ｓｔｏｒａｇｅ）、外部装置と通信する通信ポート、タッチパネル、キー（ｋｅｙ）、ボタン等のようなユーザインタフェース装置等を含むことができる。ソフトウェアモジュールまたはアルゴリズムで具現される方法は、前記プロセッサー上で実行可能なコンピュータが読み取り可能なコードまたはプログラム命令にてコンピュータが読み取り可能な記録媒体上に保存され得る。ここで、コンピュータが読み取り可能な記録媒体として、磁気記憶媒体（例えば、ＲＯＭ（ｒｅａｄ−ｏｎｌｙ  ｍｅｍｏｒｙ）、ＲＡＭ（ｒａｎｄｏｍ−Ａｃｃｅｓｓ  ｍｅｍｏｒｙ）、フロッピーディスク、ハードディスク等）および光学的読み取り媒体（例えば、シーディーロム（ＣＤ−ＲＯＭ）、ディーブイディー（ＤＶＤ：Ｄｉｇｉｔａｌ  Ｖｅｒｓａｔｉｌｅ  Ｄｉｓｃ））等がある。コンピュータが読み取り可能な記録媒体は、ネットワークで連結されたコンピュータシステムに分散して、分散方式でコンピュータで読み取り可能なコードが保存され実行され得る。媒体は、コンピュータにより読み取り可能であり、メモリに保存され、プロセッサーで実行され得る。
【０１０６】
本実施形態は、機能的なブロック構成および多様な処理段階で示される。このような機能ブロックは、特定の機能を実行する多様な個数のハードウェアまたは／およびソフトウェア構成で具現され得る。例えば、実施形態は、１つ以上のマイクロプロセッサーの制御または他の制御装置により多様な機能を実行できる、メモリ、プロセッシング、ロジック（ｌｏｇｉｃ）、ルックアップテーブル（ｌｏｏｋ−ｕｐ  ｔａｂｌｅ）等のような直接回路構成を採用することができる。構成要素がソフトウェアプログラミングまたはソフトウェア要素で実行され得ることと同様に、本実施形態は、データ構造、プロセス、ルーチンまたは他のプログラミング構成の組合せで具現される多様なアルゴリズムを含み、Ｃ、Ｃ＋＋、ジャバ（Ｊａｖａ）、アセンブラ（ａｓｓｅｍｂｌｅｒ）等のようなプログラミングまたはスクリプティング言語で具現され得る。機能的な側面は、１つ以上のプロセッサーで実行されるアルゴリズムで具現され得る。また、本実施形態は、電子的な環境設定、信号処理、および／またはデータ処理等のために従来技術を採用することができる。「メカニズム」、「要素」、「手段」、「構成」のような用語は、広く使用され得、機械的および物理的な構成に限定されるものではない。前記用語は、プロセッサー等と連係してソフトウェアの一連の処理（ｒｏｕｔｉｎｅｓ）の意味を含むことができる。
【０１０７】
前述した実施形態は、１つの例示に過ぎず、後述する請求項の範囲内で他の実施形態が具現され得る。
【符号の説明】
【０１０８】
１  システム
１００  電子装置
２００  端末
３００  電子装置
３５０  端末
４００  端末
５００  端末
６００  端末
７００  端末
８００  端末
９００  端末
１２００  電子装置
１２１０  通信デバイス
１２１０  通信デバイス
１２２０  制御部
【要約】      （修正有）【課題】在庫をより正確かつ効率的に管理する方法および電子装置を提供する。【解決手段】電子装置の動作方法であって、物品の流通期限関連情報を基礎として物品を除去対象と認識し、除去対象の実物数量のうち残存数量および実物数量に関する情報を獲得し、獲得された情報に基づいて在庫に関する情報をアップデートする。【選択図】図２【図１】
0006907392.tif 000002
【図２】
0006907392.tif 000003
【図３】
0006907392.tif 000004
【図４】
0006907392.tif 000005
【図５】
0006907392.tif 000006
【図６】
0006907392.tif 000007
【図７】
0006907392.tif 000008
【図８】
0006907392.tif 000009
【図９】
0006907392.tif 000010
【図１０】
0006907392.tif 000011
【図１１】
0006907392.tif 000012
【図１２】
0006907392.tif 000013
【図１３】
0006907392.tif 000014